(57)【要約】      （修正有）【課題】動力を必要とすることなく、室内を除湿することができる除湿装置を提供する。【解決手段】建物の外壁１５に設けられた貫通孔１８内を挿通して、一端部を室内１９に、他端部を室外２１に引き出し、室内側端部に板状、棒状のブリッジ部２を有するＳ字状のヒートブリッジ３を、室外側端部に排水板７を有する排水部６を備え、ヒートブリッジに室内の空気を接触させて結露２１を生じさ、該結露水を排水部よりドレン水として排出する。【選択図】図２
2013116433.tif 000002
【特許請求の範囲】
【請求項１】
建物の室内を除湿する除湿装置であって、
前記建物の外壁に設けられた貫通孔内を挿通して一端部が室内に引き出され、他端部が室外に引き出されるヒートブリッジを備え、
該ヒートブリッジの室内側の一端部に室内の空気を接触させて結露を生じさせるように構成したことを特徴とする除湿装置。
【請求項２】
前記貫通孔内には、ドレンパイプが挿通され、該ドレンパイプの内側を前記ヒートブリッジが挿通していることを特徴とする請求項１に記載の除湿装置。
【請求項３】
前記ドレンパイプの室内側の一端には、前記ヒートブリッジの一端部に生じた結露をドレン水として集水し、前記ドレンパイプに導くドレンポットが設けられていることを特徴とする請求項２に記載の除湿装置。
【請求項４】
前記ヒートブリッジは、前記ドレンパイプの内側を挿通するブリッジ部と、該ブリッジ部の一端に一体に設けられる集水部と、該ブリッジ部の他端に一体に設けられる排水部とを備えていることを特徴とする請求項２〜３の何れか１項に記載の除湿装置。
【請求項５】
前記ヒートブリッジは、建物の窓に近接する部分に設けられていることを特徴とする請求項１〜４の何れか１項に記載の除湿装置。
【発明の詳細な説明】
【技術分野】
【０００１】
本発明は、除湿装置に関し、特に、動力を必要とすることなく、建物の室内の湿度を低減させて、建物の窓、天井、壁、床等に結露が発生するのを抑制するのに好適な除湿装置に関する。
【背景技術】
【０００２】
図３に示すように、建物の室内１９の窓、天井、壁、床、等に生じる結露２１は、腐食、カビ２５等の原因となり、建物の劣化を早め、寿命を短くするため、建物に外断熱や内断熱等の断熱補強を施したり、窓ガラスに複層ガラスや断熱サッシ枠を用いたりする対策を採っているが、これだけでは充分でなく、夏季の高温多湿時や冬季の低温時の室内外の温度差が大きい時等には、結露の発生を避けられない。
【０００３】
このため、室内に各種の除湿機やエアコンディショナー等の空気調和設備を設置して、室内の湿度を下げることによって結露２１の発生を抑制しているが、これらの空気調和設備は、動力を必要とするためにランニングコストが嵩み、また、ドレンタンク内に溜ったドレン水を処理したり、フィルタの清掃等のメンテナンスが必要になり、それらの作業に手間がかかる。
【０００４】
一方、特許文献１には、建物の窓枠や窓ガラスを断熱材や熱源（電気ヒータ）で温め、保温することにより、室内の温度をできるだけ窓面で保てるように構成した凝縮器が開示されている。
【０００５】
特許文献１に記載の凝縮器を用いることにより、窓枠や窓ガラスに結露が生じるのを防止できるので、室内の壁等にカビ等が発生するのを抑制できる。しかし、窓枠や窓ガラスを温めるのに熱源（電気ヒータ）を用いているため、その動力が必要になり、ランニングコストが嵩むことになる。
【先行技術文献】
【特許文献】
【０００６】
【特許文献１】特開２００９−１９１５９８号公報
【発明の概要】
【発明が解決しようとする課題】
【０００７】
本発明は、上記のような従来の問題に鑑みなされたものであって、動力を必要とすることなく、室内を除湿することができる除湿装置を提供することを目的とする。
【課題を解決するための手段】
【０００８】
上記のような課題を解決するために、本発明は、以下のような手段を採用している。
すなわち、本発明は、建物の室内を除湿する除湿装置であって、前記建物の外壁に設けられた貫通孔内を挿通して一端部が室内に引き出され、他端部が室外に引き出されるヒートブリッジを備え、該ヒートブリッジの室内側の一端部に室内の空気を接触させて結露を生じさせるように構成したことを特徴とする。
【０００９】
本発明の除湿装置によれば、室内の湿気を含んだ空気をヒートブリッジの室外側の一端部に接触させることにより、ヒートブリッジの一端部の表面に結露を生じさせることができ、この結露をヒートブリッジの表面を通じて室外の他端部に導いて、他端部から室外にドレン水として排水させることにより、室内を無動力で除湿することができる。
【００１０】
また、本発明において、前記貫通孔内には、ドレンパイプが挿通され、該ドレンパイプの内側を前記ヒートブリッジが挿通していることとしてもよい。
【００１１】
本発明の除湿装置によれば、ヒートブリッジの一端部の表面に生じた結露は、ヒートブリッジの表面を通じて室外にドレン水として排水されるとともに、ヒートブリッジの表面から滴下した結露は、ドレンパイプの内側を通じて室外にドレン水として排水されることになる。
【００１２】
さらに、本発明において、前記ドレンパイプの室内側の一端には、前記ヒートブリッジの一端部に生じた結露をドレン水として集水し、前記ドレンパイプに導くドレンポットが設けられていることとしてもよい。
【００１３】
本発明の除湿装置によれば、ヒートブリッジの一端部に生じた結露をドレン水としてドレンポット内に集水することができるので、室内にドレン水が零れるようなことはなく、ドレン水をドレンポット及びドレンパイプを通じて室外に排水させることができる。
【００１４】
さらに、本発明において、前記ヒートブリッジは、前記ドレンパイプの内側を挿通するブリッジ部と、該ブリッジ部の一端に一体に設けられる集水部と、該ブリッジ部の他端に一体に設けられる排水部とを備えていることとしてもよい。
【００１５】
本発明の除湿装置によれば、ヒートブリッジの集水部の表面に室内の湿気を含んだ空気が接触することにより集水部の表面に結露が生じ、この結露は、集水部の表面を伝わってブリッジ部に導かれ、ブリッジ部の表面を通じて排水部に導かれ、排水部の表面を通じて室外にドレン水として排水されることになる。
【００１６】
さらに、本発明において、前記ヒートブリッジは、建物の窓に近接する部分に設けられていることとしてもよい。
【００１７】
本発明の除湿装置によれば、冬季の低温時等のように室内外の温度差が大きい場合に、最も結露の生じ易い窓よりも、窓に近接部分に設けられたヒートブリッジに先に結露を生じさせることができる。
【発明の効果】
【００１８】
以上、説明したように、本発明の除湿装置によれば、ヒートブリッジの室内側の一端部に室内の湿気を含んだ空気を接触させて、ヒートブリッジの一端部の表面に結露を生じさせ、この結露をヒートブリッジ表面を通じて他端部に導き、他端部から室外にドレン水として排水させることにより、室内を除湿することができる。従って、無動力で室内を除湿することができる。
【図面の簡単な説明】
【００１９】
【図１】本発明による除湿装置の一実施の形態の概略図であって、建物の室内に設置した状態を示した概略図である。
【図２】図１の除湿装置の拡大図である。
【図３】従来の建物の室内の状態を示した概略図である。
【発明を実施するための形態】
【００２０】
以下、図面を参照しながら本発明の実施の形態について説明する。
図１及び図２には、本発明による除湿装置の一実施の形態が示されている。本実施の形態の除湿装置１は、建物の室内１９を除湿して、建物の窓、天井、壁、床等に結露が生じるのを抑制し、窓、天井、壁、床等にカビ等が発生するのを防止するのに有効なものである。
【００２１】
すなわち、本実施の形態の除湿装置１は、図１及び図２に示すように、建物の室内１９の湿気を含んだ空気を接触させて、表面に結露２１を生じさせるヒートブリッジ２と、ヒートブリッジ２に生じた結露２１をドレン水２２として集水するドレンポット１０と、ドレンポット１０に集水したドレン水２２を室外２０に排水させるドレンパイプ８とを備えている。
【００２２】
ヒートブリッジ２は、建物の窓、天井、壁、床等を構成する部材（例えば、アルミニウム合金製、合成樹脂製の窓枠、紙製、合成樹脂製の内装材、木質系、合成樹脂系等の各種の床材等）よりも熱伝導率の高い材料、例えば、各種の金属材（例えば、純銅、銅合金等）で形成されている。
【００２３】
このような材料でヒートブリッジ２を形成することにより、室内１９の窓、天井、壁、床等よりも先にヒートブリッジ２の表面に結露を生じさせることができ、窓、壁、天井、床等に結露が生じるのを防止できる。
【００２４】
ヒートブリッジ２は、建物の外壁１５に設けられた貫通孔１８を挿通して、一端が室内１９側に引き出され、他端が室外２０側に引き出されるブリッジ部３と、ブリッジ部３の室内１９側の一端に一体に設けられる集水部４と、ブリッジ部３の室外２０側の他端に一体に設けられる排水部６とから構成されている。
【００２５】
ヒートブリッジ２は、室内１９の結露２１が最も生じ易い箇所（例えば、窓等）に近接する部分に設置するのが好ましい。このような位置にヒートブリッジ２を設置することにより、室内１９の結露２１が最も生じ易い箇所よりも先にヒートブリッジ２の表面に結露２１を生じさせることができる。
【００２６】
ブリッジ部３は、板状、又は棒状（丸棒状、角棒状等）をなすものであって、貫通孔１８を水平方向に貫通した状態で、一端部が内壁面１６に沿って上方に延出し、他端部が外壁面１７に沿って下方に延出するように、略Ｓ字状に形成されている。
【００２７】
集水部４は、複数枚の櫛歯状の集水板５を所定の間隔毎に配置した略櫛状をなすものであって、各集水板５が上方を向くように、ブリッジ部３の一端に一体に設けられている。複数枚の櫛歯状の集水板５により、集水部４の表面積を大きくすることができる。集水部４の各集水板５の表面に室内１９の湿気を含んだ空気を接触させることにより、各集水板５の表面に結露２１を生じさせることができ、室内１９の空気に含まれる湿気を除去することができる。各集水板５の表面に生じた結露２１は、各集水板５の表面を伝わって滴下してブリッジ部３に導かれ、ブリッジ部３の表面を通じて排水部６に導かれる。
【００２８】
集水部４は、略櫛状に限らず、各種の形状とすることができる。但し、室内１９の空気に含まれる湿気を効率良く除去するためには、空気を接触させる表面積をできるだけ大きくした方が好ましい。また、集水部４を動物、植物等の形状に形成することにより、室内装飾品として機能させることができるので、建物の美観を高めることができる。
【００２９】
排水部６は、集水部５と同一の略櫛状をなすものであって、複数枚の櫛歯状の排水板７が下方を向くように、ブリッジ部３の他端に一体に設けられている。集水部４の各集水板５の表面に生じた結露がブリッジ部３の表面を通じて排水部６に導かれ、排水部６の各排水板７の表面を通じてドレン水として室外２０に排水される。
【００３０】
排水部６は、常時、外気と接触するように構成されているので、例えば、冬季の低温時に低温の外気が排水部６に接触することにより冷却され、排水部６及びブリッジ部３を介して集水部４が冷却され、集水部４の表面の温度を室内１９の温度よりも低くすることができ、集水部４の表面に結露２１を生じさせ易くことができる。
【００３１】
排水部６も集水部４と同様に、略櫛状に限らず、各種の形状とすることができる。また、排水部６を動物、植物等に形成することにより、室外装飾品として機能させることができるので、建物の美観を高めることができる。
【００３２】
上記のような構成のヒートブリッジ２は、外壁１７の貫通孔１８内を挿通させたドレンパイプ８の内側にブリッジ部３を挿通させることにより、集水部４を室内１９側に配置し、排水部６を室外２０側に配置した状態に設置することができる。
【００３３】
ドレンパイプ８は、パイプ状をなすものであって、室内１９の窓、天井、壁、床等を構成する部材（例えば、アルミニウム合金製、合成樹脂製の窓枠、紙製、合成樹脂製の内装材、木質系、合成樹脂系等の各種の床材等）よりも熱伝導率の低い材料（例えば、各種の合成樹脂材等）で形成されている。
【００３４】
このような材料でドレンパイプ８を形成することにより、ドレンパイプ８よりも先にヒートブリッジ２の表面に結露２１を生じさせることができるので、ドレンパイプ８をヒートブリッジ２の表面に生じた結露２１をドレン水２２として室外２０に排水させる排水管として機能させることができる。
【００３５】
ドレンパイプ８は、ヒートブリッジ２のブリッジ部３を挿通させるために、屈曲可能な材料（例えば、軟質の合成樹脂材等）で形成し、或いは屈曲可能な形状（例えば、蛇腹形状等）に形成するのが好ましい。このようにドレンパイプ８を構成することにより、ヒートブリッジ２のブリッジ部３の形状に追従してドレンパイプ８を変形させることができるので、ヒートブリッジ２の設置作業を容易に行うことができる。
【００３６】
ドレンパイプ８の外面と貫通孔１８の内面との間には、各種のコーキング１３材が充填され、このコーキング材１４によって両者間の隙間が閉塞され、室内１９の気密性、防水性が高められる。
【００３７】
ドレンポット１０は、ドレンパイプ８と同様の材料から形成されるものであって、容器状のポット本体１１と、ポット本体１１に一体に設けられる板状の取付部１３とから構成され、取付部１３を内壁面１６にねじ等によって固定することにより、室内１９に設置されている。このドレンポット１０のポット本体１１の内側の中央部にヒートブリッジ２の集水部４が配置されている。
【００３８】
ドレンポット１０のポット本体１１の底部には、ポット本体１１を貫通する流出口１２が設けられ、この流出口１２にドレンパイプ８の一端が連結されている。
【００３９】
ヒートブリッジ２の集水部４の各集水板５の表面に生じた結露２１は、集水部４からブリッジ部３を通じて排水部６に導かれ、排水部６の各排水板７の表面からドレンド水２２として排水される。或いは、ヒートブリッジ２の集水部４の集水板５の表面からドレンポット１０のポット本体１１の内部に滴下され、ポット本体１１の底部の流出口１２からドレンパイプ８内に導かれ、ドレンパイプ８内を通じて排出口９に導かれ、排出口９からドレン水２２として排水される。
【００４０】
上記のように構成した本実施の形態の除湿装置１にあっては、ヒートブリッジ２を、建物の窓、天井、壁、床等を構成する部材（例えば、アルミニウム合金製、合成樹脂製の窓枠、紙製、合成樹脂製の内装材、木質系、合成樹脂系等の各種の床材等）よりも熱伝導率の高い材料、例えば、各種の金属材（例えば、純銅、銅合金等）で形成し、このヒートブリッジ２の表面に窓、天井、壁、床等よりも先に結露２１を生じさせ、この結露２１をヒートブリッジ２を通じて室外２０にドレン水として排水させることにより、室内１９を除湿するように構成したので、無動力で室内１９を除湿することができ、室内１９の除湿に要するランニングコストを大幅に削減することができる。
【００４１】
また、除湿機やエアコンディショナー等のように、ドレンタンクに溜ったドレン水を処分したり、フィルタを清掃する等の作業が不要となり、メンテナンスフリーの状態で長期的に使用を継続することが可能となる。
【００４２】
さらに、建物の外壁１５に貫通孔１８を設け、貫通孔１８内にドレンパイプ８を挿通させて、ドレンパイプ８の内側にヒートブリッジ２のブリッジ部３を挿通させることにより、ヒートブリッジ２の集水部４を室内１９側に配置し、排水部６を室外２０側に配置した状態に設置することができるので、容易に設置することができ、設置費用を削減することができる。
【００４３】
さらに、集水部４を複数の集水板５からなる略櫛状に形成して、各集水板５が上方を向くように室内１９に設置しているので、各集水板５の表面に生じた結露２１を各集水板５の表面を通じて効率良くブリッジ部３側又はドレンボット１０内に滴下させることができる。また、排水部６を複数の排水板７からなる略櫛状に形成して、各排水板７から下方を向くように室外２０に配置しているので、ブリッジ部３を通じて排水部６に導いた結露２１を、各排水板７の表面を通じて効率良く滴下させて、ドレン水として室外２０に排水させることができる。
【００４４】
さらに、ヒートブリッジ２の集水部４及び排水部６を様々な形状に形成することができるので、例えば、集水部４及び排水部６を動物や植物等の形状に形成することにより、集水部４及び排水部６を室内装飾品及び室外装飾品として機能させることができ、建物の美観を高めることができる。
【００４５】
なお、前記の説明においては、除湿装置１を１箇所に設置したが、複数箇所に除湿装置１を設置してもよい。
【符号の説明】
【００４６】
１  除湿装置
２  ヒートブリッジ
３  ブリッジ部
４  集水部
５  集水板
６  排水部
７  排水板
８  ドレンパイプ
９  排出口
１０  ドレンポット
１１  ポット本体
１２  流出口
１３  取付部
１４  コーキング材
１５  外壁
１６  内壁面
１７  外壁面
１８  貫通孔
１９  室内
２０  室外
２１  結露
２２  ドレン水
２５  カビ
【図１】
2013116433.tif 000003
【図２】
2013116433.tif 000004
【図３】
2013116433.tif 000005